(57)【要約】【課題】用紙ガイドをロック機構により着脱可能とすることで、印字装置内への用紙のセット操作を簡素化するとともに、印字装置内の清掃を容易に行なうことができる用紙ガイドを提供する。【解決手段】印字装置内のガイド板に長穴を設け、該長穴に用紙ガイドの差込ガイドを差込み、用紙の幅方向にスライドさせるだけで複数の用紙幅に合わせることができ、ロック機構により用紙ガイドを着脱可能としたため、印字装置内の用紙搬送路に規制部材や挟持部などの必要がなく、用紙のセット操作を簡素化するとともに、印字装置内の奥まで指先が入る空間を確保することができ、清掃を容易に行なうことができる。【選択図】  図２
2004149285.tif 000002
【特許請求の範囲】
【請求項１】
印字装置内の用紙の搬送を規制する用紙ガイドであって、前記印字装置は少なくとも前記用紙を所定区間案内するガイド板に前記用紙ガイドを前記用紙の幅方向にスライド案内するための長穴と、
該長穴の裏面近傍に前記用紙ガイドと係合し固定するための第一の係合部とを有しており、
前記用紙ガイドは、前記第一の係合部と係合する第二の係合部と、
前記ガイド板を前記用紙ガイドの当接面と前記第一の係合部を介して前記第二の係合部とで挟持し、前記第一の係合部と前記第二の係合部とを係合または離間させるロック機構とを有し、
該ロック機構により前記用紙ガイドを前記ガイド板から着脱自在としたことを特徴とする用紙ガイド。
【請求項２】
前記第一及び第二の係合部は嵌合して固定することを特徴とする請求項１の用紙ガイド。
【請求項３】
前記第一及び第二の係合部は弾性体による摩擦力により固定することを特徴とする請求項１の用紙ガイド。
【請求項４】
前記ロック機構はカム筒、ノック棒、回転子及びスプリングから成るノック式機構であり、前記回転子の回転角度を９０度としたことを特徴とする請求項１の用紙ガイド。
【発明の詳細な説明】
【０００１】
【発明の属する利用分野】
本発明は、印字装置内の用紙搬送を規制する用紙ガイドにかかわるもので、特に用紙を所定区間案内するガイド板を用紙ガイドと係合部により挟持し、ロック機構により着脱を可能とした用紙ガイドに関する。
【０００２】
【従来の技術】
従来、タグやラベルなどの用紙を用紙供給部からヘッドとプラテンからなる印字部への搬送にともない、用紙の蛇行や斜行などを規制する技術として下記の公知技術がある。
本体フレームに片持ち状態で支持され、ラベルの印字面を外側に向けて巻付けたラベル用紙ロールを回転自在に保持するロール保持機構と、本体フレームに、ロール保持機構のラベル用紙ロールを保持する中心部よりも下方に位置して片持ち状態で支持されると共にガイドローラーに押圧されるピンチローラーを回転自在に保持し、ロール保持機構から送り出されるラベル用紙を、ピンチローラーとガイドローラーとで挟持してサーマルヘッドを備えた印字部に案内するピンチローラー保持機構と、このピンチローラー保持機構のピンチローラーフレームの背面に固定され、ラベル用紙を、その幅方向において本体フレーム側とは反対側を押し下げるように案内する用紙ガイドとを設けた構成により、ピンチローラーに送り込まれるラベル用紙の蛇行を確実に阻止するものである。（例えば、特許文献１参照。）
【０００３】
また、ラベルロール紙から引き出されたラベル用紙を印字部まで導く供給経路中に、ラベル用紙を所定区間案内するガイド板および先端部がラベル用紙に係合する押圧片を近接状に配置し、この押圧片は、ラベル用紙が移送されていない場合にラベル用紙をガイド板に弾性的に押圧するとともに、ラベル用紙が移送中の場合にはその移送力により変位してラベル用紙の押圧を解放し、それによりラベル用紙にテンションを付与するように構成したもので、供給経路に位置するラベル用紙の移動を規制する押圧手段を設けることにより、ラベル用紙の蛇行防止しガイド機能を確実にするものもある。
【０００４】
更に本技術では、押圧片のガイド取付け面には、一対の幅ガイドを着脱可能に取付け、幅ガイドは、ガイド取付け面の表裏両面に上端より差込み固定する金属製のクリップ構造を有し、各幅ガイドの外側縁には、それぞれガイド板方向へ突出するガイド面を一体に形成し、そのガイド面間にラベル用紙を走行させることによりラベル用紙の蛇行を防止させるものである。また、各幅ガイドは、その表面一部を打ち曲げた支持舌を形成し、その下端に形成した突条を、前記ガイド取付け面の溝に係合することにより各幅ガイドの幅方向の位置決めがなされるようにする。したがって、この各幅ガイドをガイド取付け面に抜き差しすることにより、両幅ガイドのガイド面間隔を調整することができ、幅の異なるラベル用紙の交換に対応可能としたものである。（例えば、特許文献２参照。）
【特許文献１】
特開平８−２９５０５９号公報（第２−４頁、第１−４図）
【特許文献２】
特開２０００−３３５５３４号公報（第３−５頁、第１図、第４図、第６図）
【０００５】
上記従来の用紙の蛇行や斜行などを規制する技術では、用紙の搬送を規制する規制部材が用紙の搬送路に幾つも存在し、また、用紙を挟持する挟持部の開口角度が狭いため、用紙の取替えや補充により印字装置内に用紙をセットする時に、幾つもの規制部材の間や挟持部を通して用紙をセットする必要がある他、上記の規制部材や挟持部に位置決め操作やロック機構がある場合は、幾つもの操作をする必要があるなど、用紙のセット操作が煩わしく使い難いものであった。
更に、ラベルの貼り付きや紙粉、糊などにより印字装置内の清掃を行なう場合に、本体フレームに取り付けられた規制部材や挟持部により、印字装置内の奥まで指先が入らず清掃し難い問題があった。
【０００６】
【発明が解決しようとする課題】
本発明は以上のような諸問題に鑑みなされたもので、用紙を所定区間案内するガイド板を用紙ガイドと係合部により挟持し、ロック機構により着脱可能とすることで、印字装置内への用紙のセット操作を簡素化するとともに、印字装置内の清掃を容易に行なうことができる用紙ガイドを提供することを課題とする。
【０００７】
【課題を解決するための手段】
すなわち本発明は、印字装置内の用紙の搬送を規制する用紙ガイドであって、前記印字装置は少なくとも前記用紙を所定区間案内するガイド板に前記用紙ガイドを前記用紙の幅方向にスライド案内するための長穴と、該長穴の裏面近傍に前記用紙ガイドと係合し固定するための第一の係合部とを有しており、前記用紙ガイドは、前記第一の係合部と係合する第二の係合部と、前記ガイド板を前記用紙ガイドの当接面と前記第一の係合部を介して前記第二の係合部とで挟持し、前記第一の係合部と前記第二の係合部とを係合または離間させるロック機構とを有し、該ロック機構により前記用紙ガイドを前記ガイド板から着脱自在としたことを特徴とする用紙ガイドである。
【０００８】
更に本発明は、前記第一及び
第二の係合部は嵌合して固定することを特徴とする用紙ガイドである。
【０００９】
更に本発明は、前記第一及び第二の係合部は弾性体による摩擦力により固定することを特徴とする用紙ガイドである。
【００１０】
更に本発明は、前記ロック機構はカム筒、ノック棒、回転子及びスプリングから成るノック式機構であり、前記回転子の回転角度を９０度としたことを特徴とする用紙ガイドである。
【００１１】
【発明の実施の形態】
次に本発明の実施の形態を図面を用いて説明する。但し、同様の部分には同一符号を付し、その詳述はこれを省略する。
本発明の第一の実施の形態を図１乃至図３を用いて説明する。
図１は、本発明の第一の実施の形態を示す用紙ガイドと用紙搬送路を説明するための概略説明図である。
図１のＬは、矢印Ａの方向に搬送されるラベルやタグなどの用紙であり、用紙Ｌを搬送するプラテンローラー１、本体フレーム側で用紙Ｌの搬送を規制するガイドローラー２、用紙Ｌを少なくとも所定区間案内するガイド板３、該ガイド板３に用紙ガイドを差込み用紙Ｌの幅に合わせてスライドし案内するための長穴４、本発明の第一の実施の形態の用紙ガイド１０である。
図２は、本発明の図１のＢ−Ｂ’による断面図であり、用紙ガイド１０により用紙Ｌを規制した状態を示す図である。
ガイド板３は、プラテン１を含む印字部（図示せず）の一部および供給部（図示せず）などを支持する本体フレーム５に固定支持されており、ガイド板３の裏面で長穴４の近傍に用紙ガイド１０と係合するためのラック部６（第一の係合部）が設けられている。
用紙ガイド１０は、用紙ガイド１０の着脱時に指先で保持する保持部１１、長穴４に用紙ガイド１０を差込み、用紙Ｌの幅方向にスライドし案内する差込ガイド部１２、用紙Ｌを幅方向に規制し案内する規制案内部１３、弾性力によりバックフィード動作などで用紙Ｌの弛みにより波打つような盛り上がりを規制する板バネ１４と、該板バネ１４と用紙ガイド１０本体とを固定するネジ１５、用紙ガイド１０がガイド板３に当接する部分である当接面１６、ガイド板３を挟持すると共に用紙ガイド１０を固定するロック機構Ｒ１、とから構成されている。
尚、板バネ１４はネジ１５により固定しているため、用紙ガイド１０本体から着脱可能となり、規制案内部１３の清掃を容易に可能としている。
図３は、本発明の第一の実施の形態を示す用紙ガイドのロック機構Ｒ１の構造を説明するものであり、（ａ）は用紙ガイド１０のロック機構を解除した状態を示す図、（ｂ）はロック機構によりガイド板３を挟持し固定した状態を示す図である。
ロック機構Ｒ１は、釦片Ｒ２、スプリングＲ３、ロックシャフトＲ４、ロックプレートＲ５（第二の係合部）から構成されている。
ロック機構Ｒ１は、釦片Ｒ２の押下により、ロックシャフトＲ４とロックプレートＲ５が連動し、図３の（ａ）の矢印Ｄ方向に下がるためラック部６と離間した状態となる。
【００１２】
次に、本用紙ガイドの操作方法について説明する。
本用紙ガイド１０を装着する場合は、用紙Ｌを印字装置内のガイドローラー２に当接してセットする。
用紙ガイド１０の釦片Ｒ２を指先で押下した状態（図３の（ａ）の状態）で保持部１１を掴み、図１の矢印Ｃの方向から差込ガイド部１２を長穴４に挿入する。
次に、図２の矢印Ｉ方向に釦片Ｒ２を押下した状態でスライドさせ、用紙Ｌを規制案内部１３内に当接させ用紙Ｌの幅に合わせた後、釦片Ｒ２から指先を離す。
この時、釦片Ｒ２から指先を離すことにより、スプリングＲ３が復帰し連結している釦片Ｒ２、ロックシャフトＲ４及びロックプレートＲ５を上方に移行することで、ガイド板３を用紙ガイド１０の当接面１６とラック部６を介してロックプレートＲ５により挟持し、ロック機構Ｒ１のロックプレートＲ５とラック部６が係合して固定される（図３の（ｂ）の状態）。
用紙ガイド１０を印字装置より取り外す場合は、用紙ガイド１０の釦片Ｒ２を指先で押下した状態（図３の（ａ）の状態）で保持部１１を掴み、図２の矢印Ｏの方向にスライドさせ用紙ガイド１０を抜き取るようにする。
【００１３】
以上のような第一の実施の形態によれば、ガイド板３を用紙ガイド１０の当接面１６とラック部６を介してロックプレートＲ５により挟持し、ロック機構Ｒ１によりロックプレートＲ５とラック部６とが係合または離間することにより、簡単に用紙ガイド１０を着脱可能とすることで、印字装置内の用紙搬送路に規制部材や挟持部などの必要がなく、用紙のセット操作を簡素化するとともに、印字装置内の奥まで指先が入る空間を確保することができ、清掃を容易に行なうことができる。
また、長穴４に対し用紙ガイド１０の差込ガイド部１２を差込み、ロック機構Ｒ１の釦片Ｒ２の押下により用紙Ｌの幅方向へスライド可能となり、用紙Ｌをガイドローラー２と用紙ガイド１０の規制案内部１３により両側面から規制するので、用紙Ｌの蛇行や斜行などを規制することができる。
更にまた、板バネ１４により、バックフィード動作などで用紙Ｌの弛みにより波打つような盛り上がりを規制することができる。
【００１４】
つぎに本発明の第二の実施の形態を図４乃至図９を用いて説明する。
図４は、本発明の第二の実施の形態を示す用紙ガイドと用紙搬送路を説明するための概略説明図である。
図４の７は、用紙Ｌを少なくとも所定区間案内するガイド板７、該ガイド板７に用紙ガイドを差込み用紙Ｌの幅に合わせてスライドし案内するための長穴８、本発明の第二の実施の形態の用紙ガイド２０である。
図５は、本発明の第二の実施の形態を示す用紙ガイド２０のロック機構を解除した状態を示すもので、（ａ）は、本発明の図４のＢ−Ｂ’による断面図であり、（ｂ）は、ロック機構が解除された状態を裏面から見た図、（ｃ）は、ロック機構が解除される構造を説明するための概略説明図である。
図６は、本発明の第二の実施の形態を示す用紙ガイド２０を、ロック機構により固定し用紙Ｌを規制した状態を示すもので、（ａ）は、本発明の図４のＢ−Ｂ’による断面図であり、（ｂ）は、用紙ガイド２０がロック機構により固定された状態を裏面から見た図、（ｃ）は、ロック機構により用紙ガイド２０が固定される構造を説明するための概略説明図である。
ガイド板７は、プラテン１を含む印字部（図示せず）の一部および供給部（図示せず）などを支持する本体フレーム５に固定支持されており、ガイド板７の裏面で長穴８の近傍に用紙ガイド２０と係合するためのラバー部９（第一の係合部）が設けられている。
【００１５】
用紙ガイド２０は、用紙ガイド２０の着脱時に指先で保持する保持部２１、長穴８に用紙ガイド２０を差込み用紙Ｌの幅方向に案内しスライドする差込ガイド部２２、用紙Ｌを幅方向に規制し案内する規制案内部２３、弾性力によりバックフィード動作などで用紙Ｌの弛みにより波打つような盛り上がりを規制する板バネ２４と、該板バネ２４と用紙ガイド２０本体とを固定するネジ２５、用紙ガイド２０がガイド板７に当接する部分である当接面２６、ガイド板７を挟持すると共に用紙ガイド２０を固定するロック機構Ｒ１１、とから構成されている。
尚、板バネ２４はネジ２５により固定しているため、用紙ガイド２０本体から着脱可能となり、規制案内部２３の清掃を容易に可能としている。
ロック機構Ｒ１１は、釦片Ｒ１２、スプリングＲ１３、ロックシャフトＲ１４、ロックプレートＲ１５、ラバー部Ｒ１６（第二の係合部）、回転子Ｒ１７、ノック棒Ｒ１８、カム筒Ｒ１９から構成されている。
上記ロックシャフトＲ１４、ロックプレートＲ１５、ラバー部Ｒ１６及び回転子Ｒ１７は接合されており、回転子Ｒ１７の回動によりロックシャフトＲ１４、ロックプレートＲ１５及びラバー部Ｒ１６が連動し回動する構成となっている。
【００１６】
図７は、本発明の第二の実施の形態を示す用紙ガイド２０のカム筒Ｒ１９の断面図である。
カム筒Ｒ１９の内周には、所定区間リブＲ１９ａが形成されている。
図８は、本発明の第二の実施の形態を示す用紙ガイド２０の回転子Ｒ１７とノック棒Ｒ１８の外観を示す斜視図である。
回転子Ｒ１７は、ノック棒Ｒ１８に係合するカムＲ１７ａと、リブＲ１９ａに沿って上下動を案内するガイド溝Ｒ１７ｂと、スプリングＲ１３の反発力とリブＲ１９ａと係合し回転子Ｒ１７を固定する凹部Ｒ１７ｃとを形成しており、ノック棒Ｒ１８には回転子Ｒ１７に係合するカムＲ１８ａと、リブＲ１９ａに沿って上下動を案内するガイド溝Ｒ１８ｂが形成されている。
図９は、本発明の第二の実施の形態を示す用紙ガイド２０の回転子Ｒ１７の回動および上下動を説明する概略説明図である。
ロック機構Ｒ１１は、ボールペンなどで使用するノック式機構を応用したもので、図６の状態で、指で釦片Ｒ１２を押下する。
釦片Ｒ１２の押下により、ノック棒Ｒ１８のガイド溝Ｒ１８ｂがカム筒Ｒ１９内に形成されたリブＲ１９ａに沿って、釦片１２に嵌合するノック棒Ｒ１８と、該ノック棒Ｒ１８と係合している回転子Ｒ１７がスプリングＲ１３を押圧し、図９の矢印Ｅ方向に移動すると共に、回転子Ｒ１７と接合するロックシャフトＲ１４、ロックプレートＲ１５及びラバー部Ｒ１６が下方に移動する。
このとき、ノック棒Ｒ１８のカムＲ１８ａが当接している回転子Ｒ１７のカムＲ１７ａの傾斜に誘導され、回転子Ｒ１７の凹部Ｒ１７ｃへと移接（図９の（ｂ）の状態）することにより回転子Ｒ１７が回動する（図９の矢印Ｆ方向）。
また、釦片Ｒ１２から指を離すと、スプリングＲ１３の反発力により回転子Ｒ１７が上昇（図９の矢印Ｅ逆方向）しようとするが、カム筒Ｒ１９のリブＲ１９ａが回転子Ｒ１７のカムＲ１７ａの傾斜に誘導されることで回転子Ｒ１７は更に回動して、リブＲ１９ａは凹部Ｒ１７ｃに移接（図９の（ｃ）の状態）する。
このとき、回転子Ｒ１７がカム筒Ｒ１９のリブＲ１９ａに当接することで、回転子Ｒ１７が固定され、また、回転子Ｒ１７の回転角度は９０度回動し、連動するロックプレートＲ１５及びラバー部Ｒ１６も９０度回動することとなり、結果、図５の状態となる。
さらに、指で釦片Ｒ１２を再度押下することで、ノック棒Ｒ１８のカムＲ１８ａが回転子Ｒ１７のカムＲ１７ａを図９の矢印Ｅ方向に押圧するので、回転子Ｒ１７がリブＲ１９ａより外れ（図９の（ｄ）の状態）、ノック棒Ｒ１８のカムＲ１８ａが回転子Ｒ１７のカム１７ａの傾斜に誘導されることで回転子Ｒ１７は回動し（図９の矢印Ｆ方向）、釦片Ｒ１２より指を離すことにより、スプリングＲ１３の反発力により回転子Ｒ１７が上昇（図９の矢印Ｅ逆方向）すると共に、リブＲ１９ａが回転子Ｒ１７のカムＲ１７ａの傾斜に誘導され、さらにまた、回転子Ｒ１７のガイド溝Ｒ１７ｂに入り込み、結果、スプリングＲ１３の反発力により回転子Ｒ１７がノック棒Ｒ１８と係合し、図９の（ａ）の状態に戻る。
このとき、用紙ガイド２０は、図６の状態となる。
尚、回転子Ｒ１７が回転する角度は、ノック棒Ｒ１８のカムＲ１８ａや回転子Ｒ１７のカムＲ１７ａの角度とカム筒Ｒ１９のリブＲ１９ａの間隔により変更可能であり、本実施の形態での回転角度は９０度としている。
【００１７】
次に、本用紙ガイドの操作方法について説明する。
本用紙ガイド２０を装着する場合は、用紙Ｌを印字装置内のガイドローラー２に当接してセットする。
用紙ガイド２０の釦片Ｒ１２を指先で押下し、ロック機構Ｒ１１を解除した状態（図５の状態）で保持部２１を掴み、差込ガイド部２２を長穴８に挿入する。
次に、用紙ガイド２０を図５の（ａ）の矢印Ｉ方向にスライドさせ、用紙Ｌを規制案内部２３内に当接させ用紙Ｌの幅に合わせた後、釦片Ｒ１２を再度押下しロック機構Ｒ１１を固定（図６の状態）する。
指で釦片Ｒ１２を再度押下することで、ノック棒Ｒ１８のカムＲ１８ａが回転子Ｒ１７のカムＲ１７ａを図９の（ｂ）の矢印Ｅ方向に押圧するので、回転子Ｒ１７がリブＲ１９ａより外れ、ノック棒Ｒ１８のカムＲ１８ａが回転子Ｒ１７のカム１７ａの傾斜に誘導されることで回転子Ｒ１７は回動し（図９の（ｄ）の状態）、釦片Ｒ１２より指を離すことにより、スプリングＲ１３の反発力により回転子Ｒ１７が上昇（図９の矢印Ｅ逆方向）すると共に、リブＲ１９ａが回転子Ｒ１７のカムＲ１７ａの傾斜に誘導され、さらにまた、回転子Ｒ１７のガイド溝Ｒ１７ｂに入り込み、結果、スプリングＲ１３の反発力により回転子Ｒ１７がノック棒Ｒ１８と係合し、図９の（ａ）の状態となり、回転子Ｒ１７に接合するロックシャフトＲ１４、ロックプレートＲ１５、ラバー部Ｒ１６が、リブＲ１９ａに沿ってスプリングＲ１３の反発力により、上方（図５の（ａ）の矢印Ｄの逆方向）に移動し、ガイド板７は用紙ガイド２０の当接面２６とロックプレートＲ１５に設けたラバー部１６によって、ガイド板７の裏面に設けたラバー部９を介して挟持され、かつ、前記ラバー部９と用紙ガイド２０のラバー部１６が係合密着することで摩擦力が発生し、用紙ガイド２０が固定される。
用紙ガイド２０を印字装置より取り外す場合は、用紙ガイド２０の釦片Ｒ１２を再度押下することにより、ノック棒Ｒ１８のガイド溝Ｒ１８ｂがカム筒Ｒ１９内に形成されたリブＲ１９ａに沿って、釦片１２に嵌合するノック棒Ｒ１８と、該ノック棒Ｒ１８と係合している回転子Ｒ１７がスプリングＲ１３を押圧し、図９の矢印Ｅ方向に移動すると共に、回転子Ｒ１７と接合するロックシャフトＲ１４、ロックプレートＲ１５及びラバー部Ｒ１６が下方に移動することで、係合部であるガイド板７の裏面にあるラバー部９と用紙ガイド２０のラバー部Ｒ１６が離間することで、ロック機構が解除される。
その後、指先で保持部２１を掴み、図５の（ａ）の矢印Ｏの方向にスライドさせ用紙ガイド２０を抜き取るようにする。
【００１８】
以上のような第二の実施の形態によれば、ガイド板７を用紙ガイド２０の当接面２６とロックプレートＲ１５により挟持し、ロック機構Ｒ１１により用紙ガイドのラバー部Ｒ１６とガイド板７の裏面にあるラバー部９とが係合または離間することにより、簡単に用紙ガイド２０を着脱可能とすることで、印字装置内の用紙搬送路に規制部材や挟持部などが必要なく、用紙のセット操作を簡素化するとともに、印字装置内の奥まで指先が入る空間を確保することができ、清掃を容易に行なうことができる。
また、長穴８に対し用紙ガイド２０の差込ガイド部２２を差込み、ロック機構Ｒ１１の釦片Ｒ１２の押下によるロック解除により、用紙Ｌの幅方向へのスライドが可能となり、用紙Ｌをガイドローラー２と用紙ガイド２０の規制案内部２３により両側面から規制するので、用紙Ｌの蛇行や斜行などを規制することができる。
更にまた、板バネ２４により、バックフィード動作などで用紙Ｌの弛みにより波打つような盛り上がりを規制することができる。
尚、用紙ガイドのラバー部Ｒ１６とガイド板７の裏面にあるラバー部９の材質は、シリコンゴムなどを使用することで、当接における耐久性を強化することができる。
【００１９】
【発明の効果】
以上のように本発明によれば、印字装置内のガイド板に長穴を設け、該長穴に用紙ガイドの差込ガイドを差込み、用紙の幅方向にスライドさせるだけで複数の用紙幅に合わせることができ、ロック機構により用紙ガイドを着脱可能としたため、印字装置内の用紙搬送路に規制部材や挟持部などの必要がなく、用紙のセット操作を簡素化するとともに、印字装置内の奥まで指先が入る空間を確保することができ、清掃を容易に行なうことができる。
また、用紙をガイドローラーと用紙ガイドにより両側面から規制するので、用紙の蛇行や斜行などを規制することができる。
更にまた、押圧部の板バネと押えローラーにより、バックフィード動作などで用紙の弛みにより波打つような盛り上がりを規制することができる。
【図面の簡単な説明】
【図１】本発明の第一の実施の形態を示す用紙ガイドと用紙搬送路を説明するための概略説明図である。
【図２】本発明の図１のＢ−Ｂ’による断面図であり、用紙ガイド１０により用紙Ｌを規制した状態を示す図である。
【図３】本発明の第一の実施の形態を示す用紙ガイドのロック機構Ｒ１の構造を説明するものであり、（ａ）は用紙ガイド１０のロック機構を解除した状態を示す図、（ｂ）はロック機構によりガイド板３を挟持し固定した状態を示す図である。
【図４】本発明の第二の実施の形態を示す用紙ガイドと用紙搬送路を説明するための概略説明図である。
【図５】本発明の第二の実施の形態を示す用紙ガイド２０のロック機構を解除した状態を示すもので、（ａ）は、本発明の図４のＢ−Ｂ’による断面図であり、（ｂ）は、ロック機構が解除された状態を裏面から見た図、（ｃ）は、ロック機構が解除される構造を説明するための概略説明図である。
【図６】本発明の第二の実施の形態を示す用紙ガイド２０を、ロック機構により固定し用紙Ｌを規制した状態を示すもので、（ａ）は、本発明の図４のＢ−Ｂ’による断面図であり、（ｂ）は、用紙ガイド２０がロック機構により固定された状態を裏面から見た図、（ｃ）は、ロック機構により用紙ガイド２０が固定される構造を説明するための概略説明図である。
【図７】本発明の第二の実施の形態を示す用紙ガイド２０のカム筒Ｒ１９の断面図である。
【図８】本発明の第二の実施の形態を示す用紙ガイド２０の回転子Ｒ１７とノック棒Ｒ１８の外観を示す斜視図である。
【図９】本発明の第二の実施の形態を示す用紙ガイド２０の回転子Ｒ１７の回動および上下動を説明する概略説明図である。
【符号の説明】
Ｌ    用紙
１    プラテンローラー
２    ガイドローラー
３    第一の実施の形態のガイド板
４    第一の実施の形態の長穴
５    本体フレーム
６    ラック部
７    第二の実施の形態のガイド板
８    第二の実施の形態の長穴
９    ラバー部
１０    第一の実施の形態の用紙ガイド
１１    保持部
１２    差込ガイド部
１３    規制案内部
１４    板バネ
１５    ネジ
１６    当接面
Ｒ１    第一の実施の形態の用紙ガイドのロック機構
Ｒ２    釦片
Ｒ３    スプリング
Ｒ４    ロックシャフト
Ｒ５    ロックプレート
２０    第二の実施の形態の用紙ガイド
２１    保持部
２２    差込ガイド部
２３    規制案内部
２４    板バネ
２５    ネジ
２６    当接面
Ｒ１１    第二の実施の形態の用紙ガイドのロック機構
Ｒ１２    釦片
Ｒ１３    スプリング
Ｒ１４    ロックシャフト
Ｒ１５    ロックプレート
Ｒ１６    ラバー部
Ｒ１７    回転子
Ｒ１７ａ  カム
Ｒ１７ｂ  ガイド溝
Ｒ１７ｃ  凹部
Ｒ１８    ノック棒
Ｒ１８ａ  カム
Ｒ１８ｂ  ガイド溝
Ｒ１９    カム筒
Ｒ１９ａ  リブ
【図１】
2004149285.tif 000003
【図２】
2004149285.tif 000004
【図３】
2004149285.tif 000005
【図４】
2004149285.tif 000006
【図５】
2004149285.tif 000007
【図６】
2004149285.tif 000008
【図７】
2004149285.tif 000009
【図８】
2004149285.tif 000010
【図９】
2004149285.tif 000011